(57)【要約】【課題】  洗面化粧台等に使用可能な排水装置において、キャビネット内における収容スペース等の有効利用可能なスペースを充分に確保し得る排水装置を提供する。【解決手段】  本発明の排水装置では、貯水部２の底面３に設けた排水栓４の上端開口５に取付けたケレップ６を駆動ロッド７の変位に対応して上下動自在とし、駆動ロッド７の変位をレリーズワイヤー１０を介して制御する駆動ロッド制御機構１１に直結する操作部８の操作によりケレップ６を応動自在に形成してなる排水装置において、駆動ロッド制御機構１１が、レリーズワイヤー１０を所定の曲率をもって駆動せしめ得るレリーズ曲げアダプター部材１２を具備するので、キャビネット内等における収容スペース等の有効利用可能なスペースを充分に確保し得ることとなる。【選択図】図３
2006063517.tif 000002
【特許請求の範囲】
【請求項１】
貯水部の底面に設けた排水栓の上端開口に取付けたケレップを駆動ロッドの変位に対応して上下動自在とし、前記駆動ロッドの変位をレリーズワイヤーを介して制御する駆動ロッド制御機構に直結する操作部の操作により前記ケレップを応動自在に形成してなる排水装置において、前記駆動ロッド制御機構が、前記レリーズワイヤーを所定の曲率をもって駆動せしめ得るレリーズ曲げアダプター部材を具備することを特徴とする排水装置。
【請求項２】
前記レリーズ曲げアダプター部材が、直線状の駆動領域を有することを特徴とする請求項１記載の排水装置。
【発明の詳細な説明】
【技術分野】
【０００１】
本発明は、洗面化粧台等に使用可能な排水装置に関するものである。
【背景技術】
【０００２】
洗面化粧台等に使用可能な従来の排水装置としては、典型的には、例えば、図４に例示するように、排水栓４の上端開口５にケレップ６を上下動自在に取り付け、レリーズ９のレリーズワイヤー〔インナーケーブル〕１０の一端に駆動ロッド７を設けると共に、レリーズワイヤー１０の他端に操作部８を設け、駆動ロッド７の先端部１６を下方より、ケレップ６から垂設された排水栓スライド軸１５の下端に接続し、駆動ロッド７の先端部１６の上下動にケレップ６を応動自在に形成してなる駆動ロッド制御機構１１を有する排水装置１ｘ（例えば、特開平７−２２４４５１号公報等参照）が知られている。
【０００３】
しかし、かかる従来の排水装置１ｘにおいては、駆動ロッド７を駆動するレリーズワイヤー１０が、特に拘束される構造となっていないため、結果的に、自由な曲率（Ｒ５０〜Ｒ１００程度）を取ることとなっており、操作部８であるポップアップ引き棒８ａの取付部位の裏側にはレリーズワイヤー１０の屈曲部１３のスペースが大きく必要となり（例えば、ここでは、カウンタ１７の表面から駆動ロッド７を駆動するレリーズ９を収容するための深さ〔Ｌ０〕が、１００ｍｍ以上必要となる。）、デッドスペースが増大する結果、例えば、収容スペース等に利用可能な有効スペースが、相対的に減少してしまう等の問題があった（図４参照）。
【特許文献１】特開平７−２２４４５１号公報
【発明の開示】
【発明が解決しようとする課題】
【０００４】
本発明は、上記背景技術に鑑みて発明されたものであり、その課題は、洗面化粧台等に使用可能な排水装置において、キャビネット内のデッドスペースを極力低減し、収容スペース等の有効利用可能なスペースを充分に確保し得る排水装置を提供することである。
【課題を解決するための手段】
【０００５】
上記課題を解決するために、請求項１に係る発明の排水装置にあっては、貯水部の底面に設けた排水栓の上端開口に取付けたケレップを駆動ロッドの変位に対応して上下動自在とし、前記駆動ロッドの変位をレリーズワイヤーを介して制御する駆動ロッド制御機構に直結する操作部の操作により前記ケレップを応動自在に形成してなる排水装置において、前記駆動ロッド制御機構が、前記レリーズワイヤーを所定の曲率をもって駆動せしめ得るレリーズ曲げアダプター部材を具備することを特徴とするものである。
【０００６】
請求項２に係る発明の排水装置にあっては、請求項１記載の排水装置において、前記レリーズ曲げアダプター部材が、直線状の駆動領域を有することを特徴とするものである。
【発明の効果】
【０００７】
本発明の排水装置では、貯水部の底面に設けた排水栓の上端開口に取付けたケレップを駆動ロッドの変位に対応して上下動自在とし、前記駆動ロッドの変位をレリーズワイヤーを介して制御する駆動ロッド制御機構に直結する操作部の操作により前記ケレップを応動自在に形成してなる排水装置において、前記駆動ロッド制御機構が、前記レリーズワイヤーを所定の曲率をもって駆動せしめ得るレリーズ曲げアダプター部材を具備することを特徴とするので、例えば、キャビネット内等における収容スペース等の有効利用可能なスペースを充分に確保し得ることとなる。
【発明を実施するための最良の形態】
【０００８】
以下、本発明の実施形態を図面に基づき説明する。なお、本発明の排水装置は、下記の実施形態にのみ限定されるものではなく、本発明の要旨を逸脱しない範囲内において種々変更を加え得ることは勿論である。ここで、図１は、本発明の一実施形態である排水装置を装着した洗面化粧台の内部構造の概略を模式的に示す部分断面図である。一方、図２は、本発明の上記と異なる実施形態である排水装置を装着した洗面化粧台の内部構造の要部の概略を模式的に示す部分断面図である。さらに、図３は、本発明の上記とさらに異なる実施形態である排水装置を装着した洗面化粧台の内部構造の概略を模式的に示す部分断面図である。
〔第１の実施形態〕
上記したように、図１は、本発明の一実施形態である排水装置を装着した洗面化粧台の内部構造の概略を模式的に示す部分断面図である。すなわち、本実施形態の排水装置１ａは、洗面化粧台の貯水部２である洗面ボール２ａの底面３に設けた排水栓４の上端開口５に取付けたケレップ（排水栓本体）６を駆動ロッド７の変位に対応して上下動自在とし、この駆動ロッド７の変位を、レリーズワイヤー１０を介して制御する駆動ロッド制御機構１１に直結する操作部８であるポップアップ引き棒８ａの操作によりケレップ６を応動自在に形成してなる排水装置であるが、この排水装置１ａでは、前記駆動ロッド制御機構１１が、前記レリーズワイヤー１０を所定の曲率をもって駆動せしめ得るレリーズ曲げアダプター部材１２を具備するものである。ここで、駆動ロッド制御機構１１は、操作部８（ここでは、ポップアップ引き棒８ａ）、レリーズ９（レリーズワイヤー１０を含む）を経由して駆動ロッド７に至り、この駆動ロッド７の変位をレリーズワイヤー１０を介して制御する一連の機構である。また、レリーズ曲げアダプター部材１２は、レリーズワイヤー１０を強制的に比較的小さい曲率半径（Ｒ３０程度）に曲げてその方向を変え、しかも、レリーズワイヤー１０の屈曲部１３を上記の比較的小さい曲率半径を有する所定の形状、大きさ等に固定するもので、駆動ロッド制御機構１１に、これを組込むことにより、レリーズワイヤー１０の屈曲部１３のスペースを小さく固定し、これに起因するデッドスペースを低減する結果、収容スペース等に利用可能な有効スペースをより多く確保し得るというものである。
【０００９】
さらに、本実施形態の排水装置１ａでは、このレリーズ曲げアダプター部材１２が、直線状の駆動領域１４を有するので、レリーズワイヤー１０を介した駆動ロッド７の駆動を円滑且つ安定的に行い得ることとなる。
【００１０】
ここでは、図１に示すように、カウンタ１７の表面にポップアップ引き棒８ａが取付けられており、このポップアップ引き棒８ａから鉛直方向に伸びるレリーズワイヤー１０を、上記のように、比較的小さい曲率半径（Ｒ３０程度）にて水平方向に向きを変えるレリーズ曲げアダプター部材１２を介装し、レリーズワイヤー１０の屈曲部１３に起因するデッドスペースを極力小さくして、レリーズ９の方向転換を行い得ることとなる。具体的には、本実施形態の排水装置１ａでは、上記従来例と異なり、カウンタ１７の表面から駆動ロッド７を駆動するレリーズ９を収容するための深さ〔Ｌ１〕を、７０ｍｍ程度に収めることができ、カウンタ１７裏側の狭いスペースにレリーズ９の屈曲部１３をコンパクトに納めることができるというものである。
〔第２の実施形態〕
かかるレリーズ９の屈曲部１３のコンパクトな収納が要求されるのは、カウンタ１７の裏側のみに止まらない。すなわち、図２に示すように、立ちが高く、奥行寸法が小さい（７０ｍｍ程度）バックガード１８を有する洗面化粧台の貯水部２である洗面ボール２ａのバックガード１８の表面にポップアップ引き棒８ａを取付ける場合も、上記第１の実施形態と同様に小さいスペース内でレリーズワイヤー１０の向きを変えて納めることができる。
【００１１】
ここでは、図２に示すように、バックガード１８の表面にポップアップ引き棒８ａが取付けられており、このポップアップ引き棒８ａから水平方向に伸びるレリーズワイヤー１０を、上記第１の実施形態の場合と同様に、比較的小さい曲率半径（Ｒ３０程度）にて鉛直方向に向きを変えるレリーズ曲げアダプター部材１２を介装し、レリーズワイヤー１０の屈曲部１３に起因するデッドスペースを極力小さくして、レリーズ９の方向転換を行い得ることとなる。具体的には、本実施形態の排水装置１ｂでは、上記第１の実施形態の場合と同様に、バックガード１８の表面からレリーズ９を収容するための奥行寸法〔Ｌ２〕を７０ｍｍ程度に収めることができることとなる。その結果、奥行寸法〔Ｌ２〕が小さい（７０ｍｍ程度）バックガード１８を有する洗面化粧台においても、そのバックガード１８の許容寸法内にレリーズ９の屈曲部１３をコンパクトに納めることが可能となる。
〔第３の実施形態〕
一方、かかるデッドスペースの低減は、排水管の近傍のレリーズ９においても可能である。すなわち、図３に示すように、本実施形態の排水装置１ｃでは、排水管の近傍のレリーズ９において、レリーズ曲げアダプター部材１２を介装し、排水栓の下方に伸びるレリーズ９の出代を抑えることで、レリーズワイヤー１０の屈曲部１３に起因するデッドスペースを極力小さくして、キャビネット１９内のスペース２０を広く取ることができることとなる。
【００１２】
以上のように、本発明の排水装置では、貯水部の底面に設けた排水栓の上端開口に取付けたケレップを駆動ロッドの変位に対応して上下動自在とし、前記駆動ロッドの変位をレリーズワイヤーを介して制御する駆動ロッド制御機構に直結する操作部の操作により前記ケレップを応動自在に形成してなる排水装置において、前記駆動ロッド制御機構が、前記レリーズワイヤーを所定の曲率をもって駆動せしめ得るレリーズ曲げアダプター部材を具備することを特徴とするので、例えば、キャビネット内等における収容スペース等の有効利用可能なスペースを充分に確保し得ることとなる。
【図面の簡単な説明】
【００１３】
【図１】本発明の一実施形態である排水装置を装着した洗面化粧台の内部構造の概略を模式的に示す部分断面図である。
【図２】本発明の上記と異なる実施形態である排水装置を装着した洗面化粧台の内部構造の要部の概略を模式的に示す部分断面図である。
【図３】本発明の上記とさらに異なる実施形態である排水装置を装着した洗面化粧台の内部構造の概略を模式的に示す部分断面図である。
【図４】従来例に係る排水装置を装着した洗面化粧台の内部構造の概略を模式的に示す部分断面図である。
【符号の説明】
【００１４】
１    排水装置
１ａ  排水装置
１ｂ  排水装置
１ｃ  排水装置
１ｘ  排水装置（従来例）
２    貯水部
２ａ  洗面ボール
３    底面（貯水部２）
４    排水栓
５    上端開口（排水栓４）
６    ケレップ
７    駆動ロッド
８    操作部
８ａ  ポップアップ引き棒
９    レリーズ
１０    レリーズワイヤー〔インナーケーブル〕（レリーズ９）
１１    駆動ロッド制御機構
１２    レリーズ曲げアダプター部材
１３    屈曲部（レリーズ９、レリーズワイヤー１０）
１４    駆動領域（レリーズ曲げアダプター部材１２）
１５    排水栓スライド軸
１６    先端部（駆動ロッド７）
１７    カウンタ
１８    バックガード
１９    キャビネット
２０    スペース（キャビネット１９）
２１    内壁（排水口管２４）
２２    ヘアキャッチャー
２３    オーバーフロー管
２４    排水口管
【図１】
2006063517.tif 000003
【図２】
2006063517.tif 000004
【図３】
2006063517.tif 000005
【図４】
2006063517.tif 000006